(57)【要約】【課題】天井へのプロジェクタの取付け及び取外しを容易にしたプロジェクタ取付器具を提供する。【解決手段】ユーザは、金具１１Ａ、１１Ｂ及びビス１３Ａ、１３Ｂによってプロジェクタ取付器具１の天井固定部１０を天井３に予め固定しておく。次に、プロジェクタ６をビス７０Ａ、７０Ｂによって取付部６０に取付ける。そして、挿入レール６７Ａ、６７Ｂと被挿入レール１７Ａ、１７Ｂとをスライドして嵌合させることにより、天井固定部１０および取付部６０を連結させる。このように、挿入レール６７Ａ、６７Ｂを被挿入レール１７Ａ、１７Ｂにスライドして嵌合させるだけでプロジェクタ６を天井３に取付けることが可能なため、天井３へのプロジェクタ６の取付け及び取外しも容易である。【選択図】図１
2007286422.tif 000002
【特許請求の範囲】
【請求項１】
天井に取付けられて固定される天井固定部と、
前記天井固定部と連結し、プロジェクタが取付けられる取付部と、を備え、
前記取付部の上面に形成された逆Ｌ字状の挿入レールを、前記天井固定部の底面に形成された被挿入レールにスライドして嵌合させることにより、前記天井固定部および前記取付部を連結させるプロジェクタ取付器具において、
前記取付部は、前記天井固定部と連結された状態で、前記天井固定部の側面と当接する側板を有し、
前記側板および前記天井固定部の側面には、両者をビス止めするビス止め用の孔部が複数形成され、
前記天井固定部の前記被挿入レールは、
前記挿入レールより長い形状であって、
前記天井固定部と前記取付部とが連結された状態で、前記挿入レールの先端を挟持し、さらに、前記取付部の上面と前記挿入レールとの間において両者に挟持される形状であるプロジェクタ取付器具。
【請求項２】
天井に取付けられて固定される天井固定部と、
前記天井固定部と連結し、プロジェクタが取付けられる取付部と、を備え、
前記取付部の上面に形成された逆Ｌ字状の挿入レールを、前記天井固定部の底面に形成された被挿入レールにスライドして嵌合させることにより、前記天井固定部および前記取付部を連結させるプロジェクタ取付器具において、
前記天井固定部の前記被挿入レールは、
前記天井固定部と前記取付部とが連結された状態で、前記挿入レールの先端を挟持し、さらに、前記取付部の上面と前記挿入レールとの間において両者に挟持される形状であるプロジェクタ取付器具。
【請求項３】
前記取付部は、前記天井固定部と連結された状態で、前記天井固定部の側面と当接する側板を有し、
前記側板および前記天井固定部の側面には、両者をビス止めするビス止め用の孔部が複数形成された請求項２に記載のプロジェクタ取付器具。
【請求項４】
前記天井固定部の前記被挿入レールは、前記挿入レールより長い形状である請求項２又は３に記載のプロジェクタ取付器具。
【発明の詳細な説明】
【技術分野】
【０００１】
本発明は、プロジェクタを天井から吊り下げる際に使用するプロジェクタ取付器具に関するものである。
【背景技術】
【０００２】
一般的に、プロジェクタは、この装置自体を床や台等の上に置き、画像を正面のスクリーンに拡大投影するものである。しかし、スクリーンとプロジェクタとの間の投影光路に、人が通ったり物が置かれたりすると映像が遮られる。そこで、投影光路が遮られることを防止するために、プロジェクタを天井から吊り下げる方法が考えられる。
【０００３】
天井吊り下げ型のプロジェクタは、天井からの拡大投影が可能なため、プロジェクタを取付ける部屋の空間を有効に利用することができる。従来、プロジェクタを天井から吊り下げるために、ユーザは、プロジェクタ取付器具を天井、または天井に近い壁にビスで固定し、このプロジェクタ取付器具にプロジェクタを取付けていた。
一方、天井へ取付ける取付器具を、装置本体上面に設けたプロジェクタが提案されている（特許文献１参照）。
【特許文献１】特開２００４−２７１９６４公報
【発明の開示】
【発明が解決しようとする課題】
【０００４】
しかしながら、上述した従来例において、天井へのプロジェクタの取付けは、非常に多くのビスで固定しなければならず、非常に複雑であった。従って、ユーザがその取付けを専門の工事業者に依頼せざるを得ないケースもあった。
逆に、上述した従来例において、1度プロジェクタを天井に取付けると、プロジェクタを天井から取外すことも困難であった。そのため、プロジェクタの取付場所が１カ所に固定されてしまい、ユーザは、プロジェクタを他の部屋等に自由に運び出すことが困難であるという問題もあった。
【０００５】
本発明はこのような従来の課題を解決しようとするものであり、天井へのプロジェクタの取付け及び取外しを容易にしたプロジェクタ取付器具を提供することを目的とする。
【課題を解決するための手段】
【０００６】
本発明のプロジェクタ取付器具は、前記課題を解決するために以下の構成を備えている。
【０００７】
（１）天井に取付けられて固定される天井固定部と、
前記天井固定部と連結し、プロジェクタが取付けられる取付部と、を備え、
前記取付部の上面に形成された逆Ｌ字状の挿入レールを、前記天井固定部の底面に形成された被挿入レールにスライドして嵌合させることにより、前記天井固定部および前記取付部を連結させるプロジェクタ取付器具において、
前記天井固定部の前記被挿入レールは、
前記天井固定部と前記取付部とが連結された状態で、前記挿入レールの先端を挟持し、さらに、前記取付部の上面と前記挿入レールとの間において両者に挟持される形状である。
【０００８】
この構成では、プロジェクタを天井に取付ける第１の場面とプロジェクタを天井から取外す第２の場面とを想定している。
第１の場面において、ユーザは、まず、プロジェクタ取付器具の天井固定部を天井、または天井に近い壁にビスで予め固定しておく。次に、プロジェクタ取付器具の取付部にプロジェクタをビスで取付ける。そして、挿入レールを被挿入レールにスライドして嵌合させることにより、天井固定部および取付部を連結させ、プロジェクタを天井に取付ける。この際、被挿入レールは、挿入レールの先端を挟持する。さらに、被挿入レールは、取付部の上面と挿入レールとの間において両者に挟持される。
このように、挿入レールを被挿入レールにスライドして嵌合させることによりプロジェクタを天井に取付けるので、固定しなければならないビスの数が少なく済む。また、挿入レールを被挿入レールにスライドして嵌合させるだけでプロジェクタを天井に取付けることが可能なため、天井へのプロジェクタの取付けも容易である。
また、第２の場面において、ユーザは、挿入レールと被挿入レールとをスライドして天井固定部および取付部を分離するだけであるため、天井からのプロジェクタの取外しも容易である。
以上より、天井へのプロジェクタの取付け及び取外しを容易にすることができる。また、ビスの数が少なく済むので、部品点数の削減を図ることができる。
【０００９】
（２）前記取付部は、前記天井固定部と連結された状態で、前記天井固定部の側面と当接する側板を有し、
前記側板および前記天井固定部の側面には、両者をビス止めするビス止め用の孔部が複数形成された。
【００１０】
この構成では、プロジェクタを天井に取付ける第１の場面を想定している。
この構成においては、挿入レールを被挿入レールにスライドして嵌合させて、天井固定部および取付部を連結させると、取付部の側板は、天井固定部の側面と当接する。ユーザは、側板に形成された孔部と天井固定部の側面に形成された孔部とをビス止めする。これにより、ユーザはプロジェクタを天井に取付ける。
側板に形成された孔部と天井固定部の側面に形成された孔部とをビス止めするので、天井固定部および取付部は強固に連結する。
そのため、挿入レールが重力等の影響によって被挿入レール上で勝手にスライドすることを防止する。従って、取付部が天井固定部から勝手にズレたり、勝手に分離したりすることを防止する。つまり、プロジェクタの取付け位置が勝手にズレたり、天井からプロジェクタが勝手に外れてしまうことを防止する。
以上より、プロジェクタの取付け位置が勝手にズレたり、天井からプロジェクタが勝手に外れてしまうことを防止できる。
【００１１】
（３）前記天井固定部の前記被挿入レールは、前記挿入レールより長い形状である。
【００１２】
この構成においては、挿入レールを被挿入レール上でスライドさせることにより、プロジェクタの位置をスクリーンに接離する方向へ調整する。この調整により、スクリーンに投影される画像の鮮明さやフォーカス等を調整することができる。
以上より、プロジェクタの位置をスクリーンに接離する方向へ調整することができる。従って、スクリーンに投影される画像の鮮明さやフォーカス等を調整することができる。
【発明の効果】
【００１３】
この発明によれば、天井へのプロジェクタの取付け及び取外しを容易にすることができる。
【発明を実施するための最良の形態】
【００１４】
以下、本発明の実施形態であるプロジェクタ取付器具について説明する。
【００１５】
図１は、本発明の実施形態であるプロジェクタ取付器具を用いてプロジェクタを天井に取付けた概観を示す図である。図２は、図１の概観を矢印９１の方向から見た側面図である。図３は、天井を透視した場合における図１の概観を示す図である。
【００１６】
図１〜図３に示すように、プロジェクタ６は、プロジェクタ取付器具１によって天井３から吊り下げられている。
プロジェクタ６は、光源であるランプ（不図示）と、投影レンズ６Ａと、を備える。そして、プロジェクタ６は、投影レンズ６Ａから画像をスクリーン７に投影する（図２の矢印８１参照）。
【００１７】
プロジェクタ取付器具１は、天井３に取付けられて固定される天井固定部１０と、天井固定部１０と連結し、プロジェクタ６が取付けられる取付部６０と、を備える。また、プロジェクタ取付器具１の材質は、重量の軽いものを想定しており、例えばアルミである。
【００１８】
天井固定部１０は、金具１１Ａ、１１Ｂ及びビス１３Ａ、１３Ｂによって、天井３に予め固定する部材である。金具１１Ａ、１１Ｂは、ビス１２Ａ、１２Ｂによって天井固定部１０と予め固定され、ビス１８Ａ、１８Ｂによって天井３と予め固定される。
【００１９】
そして、プロジェクタ６は、取付部６０に取付けられることによって天井３から吊り下げられている。
【００２０】
図４は、本発明の実施形態であるプロジェクタ取付器具において天井固定部の斜視図である。図５は、本発明の実施形態であるプロジェクタ取付器具において取付部の斜視図である。
【００２１】
図４に示すように、天井固定部１０の上面には、ビス１３Ａ、１３Ｂによって天井３に取付けて固定するために、ビス止め用の孔部１６Ａ、１６Ｂが形成されている。また、天井固定部１０の側面２１には、ビス１２Ａ、１２Ｂによって金具１１に取付けて固定するために、ビス止め用の孔部２０Ａ、２０Ｂが形成されている。
【００２２】
また、図５に示すように、取付部６０には、ビス７０Ａ、７０Ｂ（後述の図７参照）によってプロジェクタ６を取付けるために、ビス止め用の孔部６８Ａ〜Ｄが形成されている。
【００２３】
さらに、天井固定部１０と取付部６０とを連結させるために、天井固定部１０の底面には、被挿入レール１７Ａ、１７Ｂが形成され（図４参照）、取付部６０の上面には、逆Ｌ字状の挿入レール６７Ａ、６７Ｂが形成されている（図５参照）。
【００２４】
被挿入レール１７Ａは、天井固定部１０と取付部と６０が連結された状態で、挿入レール６７Ａの先端を挟持し、さらに、取付部６０の上面と挿入レール６７Ａとの間において両者に挟持される形状である。被挿入レール１７Ｂも被挿入レール１７Ａと同様の形状である。
なお、挿入レール６７Ａの長手方向の長さは、被挿入レール１７Ａと同じとする。
【００２５】
また、図４及び図５に示すように、取付部６０は、天井固定部１０と連結された状態で、天井固定部１０の側面１９Ａ、１９Ｂと当接する側板６９Ａ、６９Ｂを有する。側板６９Ａおよび側面１９Ａには、両者をビス止めするビス止め用の孔部６４Ａ〜６４Ｃ、１４Ａ〜１４Ｃが形成されている。
なお、この実施形態では、側板６９Ｂおよび側面１９Ｂにも両者をビス止めするビス止め用の孔部が形成されているが、省略している。
【００２６】
図６は、本発明の実施形態であるプロジェクタ取付器具において挿入レールを被挿入レール上でスライドさせている概観を示す図である。図７は、図３のＳ−Ｓ線における断面図である。
【００２７】
プロジェクタ６を天井３に取付ける場合、まず、ユーザは、金具１１Ａ、１１Ｂ及びビス１３Ａ、１３Ｂによってプロジェクタ取付器具１の天井固定部１０を天井３に予め固定しておく（図１〜図３、図７参照）。次に、ビス７０Ａ、７０Ｂを含む4本のビスによってプロジェクタ６と取付部６０の孔部６８Ａ〜Ｄとをビス止めし、プロジェクタ６を取付部６０に取付ける（図７参照）。そして、挿入レール６７Ａ、６７Ｂと被挿入レール１７Ａ、１７Ｂとをスライドして嵌合させることにより（図６の矢印９２参照）、天井固定部１０および取付部６０を連結させる。この際、図１、図３、及び図７に示すように、被挿入レール１７Ａは、挿入レール６７Ａの先端を挟持する。さらに、被挿入レール１７Ａは、取付部６０の上面と挿入レール６７Ａとの間において両者に挟持される。被挿入レール１７Ｂも、被挿入レール１７Ａと同様である。また、取付部６０の側板６９Ａ、６９Ｂは、天井固定部１０の側面１９Ａ、１９Ｂと当接する。
【００２８】
連結の後、ユーザは、側板６９Ａに形成された孔部６４Ａ〜６４Ｃと天井固定部１０の側面１９Ａに形成された孔部１４Ａ〜１４Ｃとをビス１５Ａ〜Ｃによってビス止めする。側板６９Ｂ及び側面１９Ｂも同様にビス止めする。すると、概観は、図１〜図３に示されるような概観となり、その断面は、図７に示されるような状態となる。
【００２９】
このように、挿入レール６７Ａ、６７Ｂを被挿入レール１７Ａ、１７Ｂにスライドして嵌合させることによりプロジェクタ６を天井３に取付けるので、固定しなければならないビスの数が少なく済む。また、挿入レール６７Ａ、６７Ｂを被挿入レール１７Ａ、１７Ｂにスライドして嵌合させるだけでプロジェクタ６を天井３に取付けることが可能なため、天井３へのプロジェクタ６の取付けも容易である。
また、天井３からプロジェクタ６を取外す場面において、ユーザは、挿入レール６７Ａ、６７Ｂと被挿入レール１７Ａ、１７Ｂとをスライドして天井固定部１０および取付部６０を分離するだけであるため、天井３からのプロジェクタ６の取外しも容易である。
【００３０】
以上より、天井３へのプロジェクタ６の取付け及び取外しを容易にすることができる。また、ビスの数が少なく済むので、部品点数の削減を図ることができる。
【００３１】
一方、側板６９Ａ（６９Ｂ）に形成された孔部６４Ａ〜６４Ｃと天井固定部１０の側面１９Ａ（１９Ｂ）に形成された孔部１４Ａ〜１４Ｃとをビス１５Ａ〜Ｃによってビス止めするので、天井固定部１０および取付部６０は強固に連結する。
【００３２】
そのため、挿入レール６７Ａ、６７Ｂが重力等の影響によって被挿入レール１７Ａ、１７Ｂ上で勝手にスライドすることを防止する。従って、取付部６０が天井固定部１０から勝手にズレたり、勝手に分離したりすることを防止する。つまり、プロジェクタ６の取付け位置が勝手にズレたり、天井３からプロジェクタ６が勝手に外れてしまうことを防止する。
【００３３】
以上より、プロジェクタ６の取付け位置が勝手にズレたり、天井３からプロジェクタ６が勝手に外れてしまうことを防止できる。
なお、この実施形態では、側板６９Ａ、６９Ｂを取付部６０に設けているが、実施の際は、取付部６０が天井固定部１０から勝手にズレること等がないのであれば、側板６９Ａ、６９Ｂを取付部６０に設ける必要はない。
【００３４】
また、本発明の実施形態は、以下の変形例を採用することができる。
【００３５】
（第１変形例）
図８は、本発明の実施形態の第１変形例であるプロジェクタ取付器具において天井固定部の斜視図である。図９は、本発明の実施形態の第１変形例であるプロジェクタ取付器具を用いてプロジェクタを天井に取付けた概観を示す図である。ここで、図９は、図２と対応している。
【００３６】
天井固定部１１０の被挿入レール１１７Ａ、１１７Ｂを、挿入レール６７Ａ、６７Ｂより長い形状とすることもできる。また、天井固定部１１０の側面１１９Ａには、ビス１５Ａ〜１５Ｃでプロジェクタ６の位置を固定するために、両者を固定するビス止め用の孔部１１４Ａ〜１１４Ｇが形成されている。
なお、この変形例では、側板６９Ｂ及び側面１１９Ｂをビス止めするビス止め用の孔部が側面１１９Ｂにも形成されているが、省略している。
【００３７】
このプロジェクタ取付器具１０１では、挿入レール６７Ａ、６７Ｂを被挿入レール１１７Ａ、１１７Ｂ上でスライドさせることにより、プロジェクタ６の位置をスクリーン７に接離する方向へ調整する（図９の矢印９３参照）。調整終了後、取付部６０が天井固定部１１０から勝手にズレること等がないように、ビス１５Ａ〜１５Ｃでプロジェクタ６の位置を固定する（図９参照）。図９では、天井固定部１１０の孔部１１４Ｂ、１１４Ｃ、及び１１４Ｄと取付部６０の孔部６４Ａ、６４Ｂ、及び６４Ｃとが、ビス１５Ａ〜１５Ｃにより３点で固定されている。この調整により、スクリーン７に投影される画像の鮮明さやフォーカス等を調整することができる。
以上より、プロジェクタ６の位置をスクリーン７に接離する方向へ調整することができる。従って、スクリーン７に投影される画像の鮮明さやフォーカス等を調整することができる。
【００３８】
（第２変形例）
図１０は、本発明の実施形態の第２変形例であるプロジェクタ取付器具を用いてプロジェクタを天井に取付けた概観を示す図である。ここで、図１０は、図２と対応している。
【００３９】
図１０のプロジェクタ取付器具２０１と図２のプロジェクタ取付器具１とが異なる点は、挿入レール６７Ａ、６７Ｂを被挿入レール１７Ａ、１７Ｂでスライドする方向である。図２のプロジェクタ取付器具１のスライド方向が投影方向８１と平行であるのに対し（図６矢印９２参照）、図１０のプロジェクタ取付器具２０１のスライド方向は、投影方向８１と垂直である（図１０の前面から背面に伸びる矢印９４参照）。
【００４０】
図１０のプロジェクタ取付器具２０１では、挿入レール６７Ａ、６７Ｂが重力等の影響によって被挿入レール１７Ａ、１７Ｂ上で勝手にスライドすることがないので、側板６９Ａ、６９Ｂを取付部６０に設けなくとも済む。
【００４１】
なお、第２変形例は、図８及び図９に示すように、被挿入レール１１７Ａ、１１７Ｂを、挿入レール６７Ａ、６７Ｂより長い形状にして、プロジェクタ６の位置を調整することも可能である。
【００４２】
（第３変形例）
第３変形例は、上記第１変形例の構成を変化させたものである。
【００４３】
図１１は、本発明の実施形態の第３変形例であるプロジェクタ取付器具において天井固定部の斜視図である。図１１のプロジェクタ取付器具３０１は、図８のプロジェクタ取付器具１１０の形状を変化させたものである。図１２は、本発明の実施形態の第３変形例であるプロジェクタ取付器具において取付部の斜視図である。
【００４４】
図１１に示すように、被挿入レール３１７Ａは、天井３から遠ざかる方向に全体的に傾け、且つ天井３側へ凸に湾曲させた形状である。また、被挿入レール３１７Ａは、天井固定部３１０と取付部３６０が連結された状態で、挿入レール３６７Ａの先端を挟持する形状であり、さらに、取付部３６０の上面と挿入レール３６７Ａとの間に位置する先端部３１８Ａを有する形状である。この先端部分３１８Ａの厚みは、取付部３６０の上面と挿入レール３６７Ａとの間の長さよりも小さい厚みである。先端部分３１８Ａの厚みは、挿入レール３６７Ａが被挿入レール３１７Ａ上でスライド可能となるように、上述の湾曲率と取付部３６０の長手方向の長さとから定める。そのため、先端部３１８Ａは、取付部３６０の上面と挿入レール３６７Ａとの間において両者に挟持されない。
なお、被挿入レール３１７Ｂも、被挿入レール３１７Ａと同様の形状である。
【００４５】
また、天井固定部１１０の上面には、図４の天井固定部１０と同様に、ビスによって天井３に取付けて固定するために、ビス止め用の孔部１６Ａ〜Ｄが形成されている。
【００４６】
なお、この第３変形例では、天井３に取付けて固定するために金具１１を使用していないが（後述の図１３参照）、実施の際は、プロジェクタ取付器具３０１が落下しないように金具１１を使用しても良い。
【００４７】
また、天井固定部３１０の側面３１９Ａには、ビス１５Ａ〜１５Ｃでプロジェクタ６の位置を固定するために、側面３１９Ａと側板６９Ａを固定するビス止め用の孔部３１４Ａ〜３１４Ｇが形成されている。孔部３１４Ａ〜３１４Ｇは、被挿入レール３１７Ａと同様に、天井３から遠ざかる方向に全体的に傾き、且つ天井３側へ凸に湾曲して形成されている。ここで、側面３１９Ｂも、側面３１９Ａと同様の孔部を有する。
【００４８】
また、図１２に示すように、取付部３６０の上面に形成された逆Ｌ字状の挿入レール３６７Ｂの先端は、円柱形状である。また、挿入レール３６７Ｂは、取付部３６０の上面の両端部にのみ形成されている。挿入レール３６７Ａも挿入レール３６７Ｂと同様の形状である。
【００４９】
なお、この変形例では、挿入レール３６７Ａ、３６７Ｂの先端を円柱形状にしているが、円柱形状に限定する趣旨ではない。挿入レール３６７Ａ、３６７Ｂの先端は、被挿入レール３１７Ａ、３１７Ｂでスライド可能なように、棒形状のものであれば良い。
【００５０】
図１３は、本発明の実施形態の第３変形例であるプロジェクタ取付器具を用いてプロジェクタを天井に取付けた概観を示す図である。ここで、図１３は、図２と対応している。
【００５１】
プロジェクタ６を天井３に取付ける場合、まず、ユーザは、不図示のビスによって天井固定部３１０の孔部１６Ａ〜Ｄと天井３とをビス止めし、天井固定部３１０を天井３に予め固定しておく（図１１、図１３参照）。次に、ビス７０Ａ、７０Ｂを含む4本のビスによってプロジェクタ６と取付部３６０の孔部６８Ａ〜Ｄとをビス止めし（図７参照）、プロジェクタ６を取付部３６０に取付ける。そして、挿入レール３６７Ａ、３６７Ｂと被挿入レール３１７Ａ、３１７Ｂとをスライドして嵌合させることにより、天井固定部３１０および取付部３６０を連結させる（図１３参照）。この際、被挿入レール３１７Ａは、天井固定部３１０と取付部３６０が連結された状態で、挿入レール３６７Ａの先端を挟持する。さらに、被挿入レール３１７Ａの先端部３１８Ａは、取付部３６０の上面と挿入レール３６７Ａとの間に位置する。ここで、上述のように先端部３１８Ａは、取付部３６０の上面と挿入レール３６７Ａとの間において両者に挟持されない。また、取付部３６０の側板６９Ａ、６９Ｂは、天井固定部３１０の側面３１９Ａ、３１９Ｂと当接する。
なお、被挿入レール３１７Ｂも、被挿入レール３１７Ａと同様である。
【００５２】
ここで、被挿入レール３１７Ａ、３１７Ｂは湾曲した形状となっているが、上述のように挿入レール３６７Ａ、３６７Ｂは、取付部３６０の上面の両端部に、それぞれ２点ずつ合計４点形成されている。さらに、挿入レール３６７Ａ、３６７Ｂの先端は、円柱形状である。そのため、挿入レール３６７Ａ、３６７Ｂは、被挿入レール３１７Ａ、３１７Ｂに対してスクリーン７に接離する方向へスライド可能である。
【００５３】
このプロジェクタ取付器具３０１では、挿入レール３６７Ａ、３６７Ｂを被挿入レール３１７Ａ、３１７Ｂ上でスライドさせることにより、プロジェクタ６の位置をスクリーン７に接離する方向へ調整する（図１３の矢印９３参照）。また、このスライドにより、プロジェクタ６の角度も調整する（図１３の矢印９５参照）。
【００５４】
調整終了後、取付部３６０が天井固定部３１０から勝手にズレること等がないように、ビス１５Ａ〜１５Ｃでプロジェクタ６の位置を固定する（図１３参照）。図１３では、天井固定部３１０の孔部３１４Ｂ、３１４Ｃ、及び３１４Ｄと取付部３６０の孔部６４Ａ、６４Ｂ、及び６４Ｃとが、ビス１５Ａ〜１５Ｃにより３点で固定されている。この調整により、スクリーン７に投影される画像の鮮明さやフォーカス等を調整することができる。さらに、プロジェクタ６の角度も調整することができる。
【００５５】
以上より、プロジェクタ６の位置をスクリーン７に接離する方向へ調整することができるだけでなく、プロジェクタ６の角度も調整することができる。
【図面の簡単な説明】
【００５６】
【図１】本発明の実施形態であるプロジェクタ取付器具を用いてプロジェクタを天井に取付けた概観を示す図
【図２】図１の概観を矢印９１の方向から見た側面図
【図３】天井を透視した場合における図１の概観を示す図
【図４】本発明の実施形態であるプロジェクタ取付器具において天井固定部の斜視図
【図５】本発明の実施形態であるプロジェクタ取付器具において取付部の斜視図
【図６】本発明の実施形態であるプロジェクタ取付器具において挿入レールを被挿入レール上でスライドさせている概観を示す図
【図７】図３のＳ−Ｓ線における断面図
【図８】本発明の実施形態の第１変形例であるプロジェクタ取付器具において天井固定部の斜視図
【図９】本発明の実施形態の第１変形例であるプロジェクタ取付器具を用いてプロジェクタを天井に取付けた概観を示す図
【図１０】本発明の実施形態の第２変形例であるプロジェクタ取付器具を用いてプロジェクタを天井に取付けた概観を示す図
【図１１】本発明の実施形態の第３変形例であるプロジェクタ取付器具において天井固定部の斜視図
【図１２】本発明の実施形態の第３変形例であるプロジェクタ取付器具において取付部の斜視図
【図１３】本発明の実施形態の第３変形例であるプロジェクタ取付器具を用いてプロジェクタを天井に取付けた概観を示す図
【符号の説明】
【００５７】
１−プロジェクタ取付器具
３−天井
６−プロジェクタ
６Ａ−投影レンズ
７−スクリーン
１０−天井固定部
１１Ａ、Ｂ−金具
１４Ａ〜Ｃ−孔部
１６Ａ、Ｂ−孔部
１７Ａ、Ｂ−被挿入レール
１９Ａ、Ｂ−側面
６０−取付部
６４Ａ〜Ｃ−孔部
６７Ａ、Ｂ−挿入レール
６８Ａ〜Ｄ−孔部
６９Ａ、Ｂ−側板
１０１−プロジェクタ取付器具
１１０−天井固定部
１１４Ａ〜Ｇ−孔部
１１７Ａ、Ｂ−被挿入レール
１１９Ａ、Ｂ−側面
２０１−プロジェクタ取付器具
３０１−プロジェクタ取付器具
３１０−天井固定部
３１４Ａ〜Ｇ−孔部
３１７Ａ、Ｂ−被挿入レール
３１８Ａ、Ｂ−先端部
３１９Ａ、Ｂ−側面
３６０−取付部
３６７Ａ、Ｂ−挿入レール
【図１】
2007286422.tif 000003
【図２】
2007286422.tif 000004
【図３】
2007286422.tif 000005
【図４】
2007286422.tif 000006
【図５】
2007286422.tif 000007
【図６】
2007286422.tif 000008
【図７】
2007286422.tif 000009
【図８】
2007286422.tif 000010
【図９】
2007286422.tif 000011
【図１０】
2007286422.tif 000012
【図１１】
2007286422.tif 000013
【図１２】
2007286422.tif 000014
【図１３】
2007286422.tif 000015